(57)【特許請求の範囲】
【請求項１】
冷蔵庫又は冷凍・冷蔵庫等の内壁面に前面と後面が開口するボックス型の冷気吹き出し口が左右一対形成され、それぞれ内部のほぼ中央部に１つの風向板が取り付けられ、特にフリーザー容器に対して冷気を吹き出す冷気吹き出し口であって、前記左右一対の冷気吹き出し口のうち正面側から見て左側の冷気吹き出し口における風向板は、当該冷気吹き出し口のほぼ中央部の鉛直面Ｖ１を規準としてその前端縁Ｖ１ａを垂直軸として所定角度θ１だけ時計方向に回転させ、且つ当該位置での鉛直面Ｖ２を規準としてその下端縁Ｖ２ｂを水平軸として所定角度θ２だけ反時計方向に回転させた傾斜状態で固定し、右側の冷気吹き出し口における風向板は、前記左側の風向板に対して左右対称位置に固定したことを特徴とする冷気吹き出し口構造。
【発明の詳細な説明】
【０００１】
【発明の属する技術分野】
本発明は、冷蔵庫又は冷凍・冷蔵庫等における冷気吹き出し口構造に関する。
【０００２】
【従来の技術】
冷凍・冷蔵庫においては、従来例えば図５に示すように冷蔵室Ａと冷凍室Ｂとを備えており、冷凍室Ｂでは背面壁の要所に複数の冷気吹き出し口Ｃ１、Ｃ２が設けられ、これらの冷気吹き出し口Ｃ１、Ｃ２からファンＤを介して冷気を吹き出し、フリーザー容器Ｅ１、Ｅ２内を通過させた後、冷気戻り口ＦからダクトＧ内に戻すようにしている。ダクトＧ内に戻された冷気は蒸発器Ｈにより再冷されて、前記冷気吹き出し口Ｃ１、Ｃ２から再び冷凍室Ｂ内に吹き出される。上記冷蔵室Ａにおいても、このような要領で冷気は循環使用される。
【０００３】
上記冷気吹き出し口Ｃ１（Ｃ２）は、通常図６のように冷凍庫背面壁の上部の左右端部付近に設けられ、図７（ａ）、（ｂ）のように風向板Ｉ又はＪが取り付けられ、冷気吹き出し口Ｃから吹き出す冷気の方向を調節するようにしている。
【０００４】
風向板Ｉは、冷気吹き出し口Ｃ１（Ｃ２）の内部をほぼ左右に二分すると共に、後端部をやや右方向（正面側から見て）に傾けて固定することにより、冷気の吹き出し方向を直進方向のみならず一部左方向に曲がるようにしてある。一方、風向板Ｊは、冷気吹き出し口Ｃ１（Ｃ２）の開口上縁部に固定されて下向きに傾斜した状態になっており、冷気の吹き出し方向を水平方向のみならず一部下向きにするようにしてある。
【０００５】
【発明が解決しようとする課題】
上記従来の冷気吹き出し口構造によると、風向板Ｉの場合は、冷気を左又は右方向に曲げることはできるが下向きに曲げることはできず、風向板Ｊの場合は、冷気を下向きに曲げることはできるが左又は右方向に曲げることはできない。風向板Ｉ、Ｊを併用すれば、冷気を左右方向及び下方向に曲げることは可能であるが、双方設けることは生産コストが高騰し、又組み付け工程が煩雑になる等の不都合が発生する。
【０００６】
本発明は、このような従来の事態に鑑みなされたもので、１個の風向板で直進方向及び左右方向のみならず下方向にも冷気の吹き出し領域を拡大できるようにした冷気吹き出し口構造を提供することを目的とする。
【０００７】
【課題を解決するための手段】
上記の目的を達成するための技術手段として、本発明は、冷蔵庫又は冷凍・冷蔵庫等の内壁面に前面と後面が開口するボックス型の冷気吹き出し口が左右一対形成され、それぞれ内部のほぼ中央部に１つの風向板が取り付けられ、特にフリーザー容器に対して冷気を吹き出す冷気吹き出し口であって、前記左右一対の冷気吹き出し口のうち正面側から見て左側の冷気吹き出し口における風向板は、当該冷気吹き出し口のほぼ中央部の鉛直面Ｖ１を規準としてその前端縁Ｖ１ａを垂直軸として所定角度θ１だけ時計方向に回転させ、且つ当該位置での鉛直面Ｖ２を規準としてその下端縁Ｖ２ｂを水平軸として所定角度θ２だけ反時計方向に回転させた傾斜状態で固定し、右側の冷気吹き出し口における風向板は、前記左側の風向板に対して左右対称位置に固定したことを特徴とする冷気吹き出し口構造を要旨とする。
【０００８】
本発明では、風向板が冷気の直進方向に対して傾いているため、左又は右方向に冷気を曲げることができ、且つ水平方向に対しても傾いているため下方向にも冷気を曲げることができる。
【０００９】
【発明の実施の形態】
次に、本発明に係る冷気吹き出し口構造の実施形態について、添付図面を参照しながら説明する。図１（ａ）、（ｂ）において、１は冷蔵庫又は冷凍・冷蔵庫の冷気吹き出し口であって、ボックス型に形成されその前面と後面は開口し、前面は冷凍室Ｂ側に後面はダクトＧ側にそれぞれ臨んでいる。
【００１０】
２は冷気吹き出し口１内に設けられた風向板であり、直進方向及び水平方向に対していずれも傾斜した状態で固定されている。即ち、この風向板２は図２（ａ）のように冷気吹き出し口１のほぼ中央部の鉛直面Ｖ１を規準としてその前端縁Ｖ１ａを垂直軸として角度θ１だけ時計方向に回転させ、且つ図２（ｂ）のように当該位置での鉛直面Ｖ２を基準としてその下端縁Ｖ２ｂを水平軸として角度θ２だけ反時計方向に回転させた傾斜状態で固定されている。
【００１１】
前記回転角度θ１、θ２は冷凍室Ｂの容積や冷気吹き出し口１の取付位置等を考慮して適宜設定されるが、例えばθ１は１５度〜５５度の範囲内、θ２は１０度〜４０度の範囲内であることが好ましい。
【００１２】
このように構成された冷気吹き出し口１において、ダクトＧ側から冷気が流入すると、図３のように風向板２を境として右側（冷凍室Ｂ側からみて）部分を通過する冷気はそのまま直進し、左側部分を通過する冷気のうち風向板２に当たった冷気は左方向に曲げられ、しかも風向板２が下向きに傾いているため図４のように下方にも曲げられる。従って、この冷気吹き出し口１から吹き出される冷気は、左方向の吹き出し領域が拡大すると共に、下方向にも吹き出し領域が拡大する。
【００１３】
図１に示す冷気吹き出し口１を冷凍室Ｂ側からみて左側に取り付け、図示は省略したが風向板２がこれと対称位置に固定された冷気吹き出し口を右側に取り付けると、図１に示す深底のフリーザー容器Ｅ２であっても、その底部付近まで冷気を供給することができ、冷凍効果を著しく向上させることができる。特にフリーザー容器Ｅ１、Ｅ２の両側底部は従来冷え難いとされていたが、左右の冷気吹き出し口の風向板によって左又は右方向に曲げられ、且つ下向きにも曲げられるためそのような難点を解消することができる。
【００１４】
本実施態様では、冷凍庫Ｂの冷気吹き出し口について説明したが、本発明は冷蔵室Ａの冷気吹き出し口にも同様に適用できるものである。
【００１５】
【発明の効果】
以上説明したように、本発明は、冷蔵庫又は冷凍・冷蔵庫の内壁面に、特にフリーザー容器に冷気を供給する冷気吹き出し口を左右一対設け、これらの冷気吹き出し口はそれぞれ前面と後面が開口するボックス型に形成すると共に、内部のほぼ中央部に特定の方向に傾斜させた風向板を左右対称位置に取り付け、これらの風向板は直進方向及び左右方向のみならず下方向にも冷気の供給領域を拡大できるようにしたので、冷却効果を高めると共に深底のフリーザー容器であっても底部を平均的に冷却できる等の優れた効果を奏する。又、風向板は、それぞれ左右の冷気吹き出し口において１つで済むため生産コストが高騰せず、組付工程も容易である等の効果も奏する。
【図面の簡単な説明】
【図１】本発明に係る冷気吹き出し口の実施形態を示すもので、（ａ）は斜視図、（ｂ）はその横断平面図
【図２】（ａ）、（ｂ）はそれぞれ風向板の傾斜状態を示す説明図
【図３】冷気吹き出し口における冷気の吹き出し方向を示す斜視図
【図４】同じく冷気の吹き出し方向を示す正面図
【図５】冷凍・冷蔵庫の一例を示す概略縦断面図
【図６】冷凍庫の冷気吹き出し口を示す説明図
【図７】（ａ）、（ｂ）はそれぞれ従来の風向板を示す概略斜視図
【符号の説明】
１…冷気吹き出し口
２…風向板
Ｖ１、Ｖ２…鉛直面
Ｖ１ａ…前端縁
Ｖ２ｂ…下端縁
θ１、θ２…角度
【図１】
0003913514.tif 000002
【図２】
0003913514.tif 000003
【図３】
0003913514.tif 000004
【図４】
0003913514.tif 000005
【図５】
0003913514.tif 000006
【図６】
0003913514.tif 000007
【図７】
0003913514.tif 000008